(57)【要約】【課題】本発明は、本来の空気調和機能を備えることの他に、被空調室内および室内機本体内の換気機能を付加し、快適性の向上と室内機本体内の清潔度を高めるとともに、本体構成の複雑化を避け、壁面と接続ホースに対する施工性の向上を図った空気調和機の室内機を提供する。【解決手段】本発明は、室内機本体内１に、熱交換器１０と、ドレン水を受けるドレンパン６ａ，６ｂと、熱交換器に流通する以前の１次側空気もしくは熱交換器を流通したあとの２次側空気を吸込み換気ホース５５を介して屋外へ排出する換気ユニット１５とを具備し、上記ドレンパンは、ドレンホース７０を接続するドレン用接続口体５０および換気ホース５５を接続する換気用接続口体５１を備えていて、換気用接続口体はドレン用接続口体の上部でこの後方に一列に並んで取付けられる。【選択図】　　　図３
2004069109.tif 000002
【特許請求の範囲】
【請求項１】
吸込み口と吹出し口を備えた室内機本体と、
この室内機本体内に収容され、上記吸込み口と対向して配置される熱交換器と、
この熱交換器の下部に配置され、熱交換器から流下するドレン水を集溜し、ドレンホースを介して外部に排出するドレンパンと、
上記室内機本体内に収容され、上記吸込み口から吸込まれたあと上記熱交換器に流通する以前の１次側空気もしくは熱交換器を流通したあとの２次側空気を吸込み、換気ホースを介して屋外へ排出する換気ユニットとを具備し、
上記ドレンパンは、上記ドレンホースを接続するドレン用接続口体および上記換気ホースを接続する換気用接続口体を備えていて、
上記換気用接続口体は、上記ドレン用接続口体の上部で、かつこの後方に一列に並んで取付けられることを特徴とする空気調和機の室内機。
【請求項２】
上記ドレン用接続口体および換気用接続口体は、互いに同一の傾斜角度をもって上記ドレンパンに一体的に設けられることを特徴とする請求項１記載の空気調和機の室内機。
【発明の詳細な説明】
【０００１】
【発明の属する技術分野】
本発明は、室内機と室外機とから構成される空気調和機に係り、特に、室内機における室内換気機能の付加に関する。
【０００２】
【従来の技術】
室内機と室外機とから構成される空気調和機が多用されている。室内機においては、本体に吸込み口および吹出し口を備え、本体内部には熱交換器および送風機などが収容される。上記熱交換器の前面にはエアーフィルタが取付けられ、本体内に吸込まれた室内空気から塵埃を捕捉するようになっている。
ところで、使用者にとって常時室内の空気調和を行なうことばかりでなく、状況によっては窓を開放することなく室内の換気を有効、かつ迅速に行いたい場合がある。
【０００３】
たとえば、居間において複数人が一斉に喫煙することにより煙が充満したり、不快な臭いが篭った状態などの不快感がある一方で、窓を開放すると外部の騒音や塵埃等が侵入してしまう等の条件が考えられる。
通常では、換気扇は台所などには備えられているが、居間専用の換気扇を備えることはあまりない。したがって上記の場合は、わずかでも窓を開放するか、窓を開放せずそのまま我慢することで対応しなければならず、いずれにしても快適性が損なわれている。
【０００４】
そこで、室内機本体を横に長く伸ばし、熱交換器に隣接した位置に換気ファンを備えた製品が提供されるに至った。この換気ファンと対向する室内機本体の前面部位には取込み用口が開口され、背面部位には換気口体が突設される。
上記換気口体は壁面に設けられる換気口に挿入され、換気ファンの作動により取込み用口を介して室内機本体内に取込んだ室内空気を換気口体と換気口を介して外部へ排出するようになっている。
【０００５】
【発明が解決しようとする課題】
ところで、冷房運転や除湿運転などを行うと、熱交換器は流通する室内空気から湿分を凝縮してドレン水に換える。熱交換器の下部にはドレンパンが配置されていて、ドレン水は上記ドレンパンに落下して集溜される。そして、ドレンパンに接続されるドレンホースを介して屋外へ排出される。
すなわち、上述の換気ファンを備えた室内機においては、ドレンホースを接続するための接続口体をドレンパンに設け、それとは別に本体背面部に換気口体を設けなければならない。上記ドレンパンおよび本体背面部は、室内機本体を構成する後板に一体に成形されるので、後板の構成が複雑になる。
【０００６】
壁面には、ドレンホースが貫通する貫通孔および換気口体が挿入する換気口を開口する必要がある。ドレンホース用貫通孔と換気口とは互いに位置が異なっており、開口作業が面倒である。室内機本体の据付け時に、壁面の換気口に本体の換気口体を正しく合致させなければならず、施工性に難点がある。
しかも、換気ファンの駆動時に運転騒音が本体前面の換気取込み口から室内に漏れて静粛運転を妨げる。外部の騒音が壁面の換気口を介して室内機本体内に侵入し、室内に漏れて静粛運転を妨げるなどの不具合がある。
【０００７】
本発明は上記事情に鑑みなされたものであり、その目的とするところは、本来の空気調和機能を備えることの他に、被空調室内および室内機本体内の換気機能を付加し、快適性の向上と室内機本体内の清潔度を高めるとともに、本体構成の複雑化を避け、壁面と接続ホースに対する施工性の向上を図った空気調和機の室内機を提供しようとするものである。
【０００８】
【課題を解決するための手段】
上記目的を満足するため本発明の空気調和機の室内機は、吸込み口と吹出し口を備えた室内機本体と、この室内機本体内に収容され吸込み口と対向して配置される熱交換器と、この熱交換器の下部に配置され熱交換器から流下するドレン水を集溜しドレンホースを介して外部に排出するドレンパンと、室内機本体内に収容され吸込み口から吸込まれたあと熱交換器に流通する以前の１次側空気もしくは熱交換器を流通したあとの２次側空気を吸込み換気ホースを介して屋外へ排出する換気ユニットとを具備し、ドレンパンは、ドレンホースを接続するドレン用接続口体および換気ホースを接続する換気用接続口体を備えていて、上記換気用接続口体は、上記ドレン用接続口体の上部で、かつこの後方に一列に並んで取付けられる。
【０００９】
さらに、上記ドレン用接続口体および換気用接続口体は、互いに同一の傾斜角度をもってドレンパンに一体的に設けられる。
このような課題を解決する手段を採用することにより、本来の空気調和機能を備えることの他に、被空調室内および室内機本体内の換気機能を付加して快適性の向上と、室内機本体内のカビ等の発生を抑制して清潔度を高め、室内機本体構成の複雑化を避け、壁面と接続ホースに対する施工性の向上を図れる。
【００１０】
【発明の実施の形態】
以下、本発明の一実施の形態を図面にもとづいて説明する。
図１は空気調和機を構成する室内機の外観の斜視図、図２は室内機の概略の縦断面図、図３は前面パネルを取外して室内機内部を見せた斜視図、図４は図３とはさらに熱交換器を取外した状態で、かつ斜め背面側から見た室内機の一部斜視図である。
【００１１】
室内機本体１は、前面パネル２と後板３とから構成されていて、上下方向に対して幅方向が極端に長い横長状をなす。前面パネル２は、湾曲して手前側に突出し、左右両側に側面板を備えている。後板３は、横長の矩形状をなし被空調室の壁面に取付けられる。
【００１２】
上記前面パネル２の前面側一部に前部吸込み口４が開口され、開閉駆動機構５に支持された可動パネル２ａが嵌め込まれている。運転停止時において、可動パネル２ａは前面パネル２と同一面となり前部吸込み口４を閉成するが、運転時には手前側に突出変位して前部吸込み口４を開放するよう制御される。
前面パネル２および後板３の上部に亘って上部吸込み口６が設けられる。上部吸込み口６には枠状の桟７が嵌め込まれていて、この桟によって複数の空間部に仕切られている。
【００１３】
上記可動パネル２ａ下部には、前面パネル２の一部を構成する半透明材からなる化粧板２ｂが室内機本体１の幅方向に亘って設けられる。この化粧板２ｂの下部側には、２枚の吹出しルーバー８ａ，８ｂが並行して設けられる。
各吹出しルーバー８ａ，８ｂは、室内機本体１の前面下部に沿って設けられる吹出し口９を開閉するとともに、運転条件に応じて姿勢角度を可変し熱交換空気の吹出し方向を設定できるようになっている。
【００１４】
室内機本体１内には、前側熱交換器部１０Ａと後側熱交換器部１０Ｂとで略逆Ｖ字状に形成される熱交換器１０が配置される。上記前側熱交換器部１０Ａは、前面パネル２と間隙を存してほぼ平行な湾曲状に形成され、かつ後側熱交換器部１０Ｂは直状に形成されて上部吸込み口６と斜めに傾斜して対向する。
一方、前部吸込み口４と上部吸込み口６とに対向する室内機本体１内にエアーフィルタ１１が取付けられる。このエアーフィルタ１１は各吸込み口４，６と前部熱交換器部１０Ａと上部熱交換器部１０Ｂとの間に介在され、開放した吹出し口９上端と前面パネル２下端の間から着脱自在に挿着される。
【００１５】
上記熱交換器１０の前側熱交換器部１０Ａの前面側で、かつ室内機本体１に対する正面視で右端部側にずれた位置に電気集塵機１２が取付けられる。この電気集塵機１２は、流通する空気中の塵埃に電荷を与える荷電側電極と、電荷を与えられた塵埃を引きつけて捕捉する集塵側電極とから構成される。
なお上記電気集塵機１２は、通常の集塵時よりも集塵側電極との電位差が大きくなるように荷電側電極に高い高電圧を印加すると、多くのオゾンが発生するオゾン発生装置となる。このとき、周囲の空気の流れを制限するため送風機１３を停止もしくは極く低速運転することで、オゾンの発生量がより大となる。
【００１６】
上記熱交換器１０の前後側熱交換器部１０Ａ，１０Ｂの相互間で、かつ上記吹出し口９との間に室内送風機１３が配置される。すなわち、傘状に形成される熱交換器１０の内側に上記室内送風機１３が位置している。
上記室内送風機１３と並んで、後述する換気ユニット１５が配置される。この換気ユニット１５は、熱交換器１０に対して室内送風機１３の位置をずらせることによって形成される室内送風機１３横の空間スペースに配置されている。
【００１７】
上記後板３には、前ドレンパン１６ａと後ドレンパン１６ｂが一体に設けられる。前側熱交換器部１０Ａの下端部は前ドレンパン１６ａ上に載り、後側熱交換器部１０Ｂの下端部は後ドレンパン１６ｂ上に載る。前後ドレンパン１６ａ，１６ｂの一部側壁外面は室内送風機１３に近接した位置に設けられ、これらで室内送風機に対するノーズを構成している。
【００１８】
前後ドレンパン１６ａ，１６ｂの側壁部分と吹出し口９の各辺部との間は、隔壁部材１７によって連結される。この隔壁部材１７で囲まれる空間が、ノーズと吹出し口９とを連通する吹出し通風路１８となっている。
特に、図３および図４に示すように、前ドレンパン１６ａには、正面視で左側端部にドレン用接続口体５０と、換気用接続口体５１が前後方向に一列に並んで一体に突設される。
【００１９】
なお説明すれば、上記ドレン用接続口体５０が下部、換気用接続口体５１が上部にあり、ドレン用接続口体５０が手前側にあり、換気用接続口体５１が後方にある。
各接続口体５０，５１は、前ドレンパン１６ａに対して互いに同一の傾斜角度で突出し、互いに並行である。上記ドレン用接続口体５０の直径よりも換気用接続口体５１の直径が大径である。
【００２０】
上記後板３に、前後ドレンパン１６ａ，１６ｂが一体に設けられ、ドレン用・換気用各接続口体５０，５１は前ドレンパンに一体成形されるところから、上記後板３の成形性に何らの不具合もない。
上記ドレン用接続口体５０にはレンホース７０（図３のみ示す）が接続され、このホースは屋外へ延出される。上記換気用接続口体５１は、後述するように、その内部に上記換気ユニット１５の吹出し口体３２が挿入し、かつ換気用接続口体の外周面には換気ホース５５が接続され屋外へ延出される。
【００２１】
はじめに、上記換気ホース５５について詳述する。
図５（Ａ）は上記換気ホース５５を分解した側面図、図５（Ｂ）は換気ホースの先端に取付けられる防虫カバーの正面図、図５（Ｃ）は防虫カバーの断面図である。
上記換気ホース５５は、太径ホース５６と、細径ホース５７および防虫カバー５８とから構成されていて、いずれも合成樹脂材を用いて成形される。
【００２２】
上記太径ホース５６は、図の左側端部に上記換気用接続口体５１に挿入嵌着される第１の接続部６０が設けられる。太径ホース５６の右側端部は、細径ホース５７に接続するための第２の接続部６１が設けられる。
太径ホース５６における第１の接続部６０と第２の接続部６１との間は蛇腹状に形成され、湾曲・折り曲げが自在な可撓部６２となっている。この可撓部６２の内径寸法は、上記第２の接続部６１の外形寸法とほぼ同一に形成される。
【００２３】
さらに、可撓部６２の所定部位には他の部位よりも肉厚を薄くした補助連結部６３が設けられている。この補助連結部６３は、湾曲・折り曲げに何らの支障もないうえで、比較的容易に切断が可能である。
上記細径ホース５７は、図の左側端部に太径ホース５６の第２の接続部６１に接続可能な口径に形成される第３の接続部６４が設けられる。また、第３の接続部６４は太径ホース５６の第１の接続部６０と同一の口径であり、細径ホース５７も直接、上記換気用接続口体５１に接続できる。
【００２４】
細径ホース５７の第３の接続部６４以外の部位は全て蛇腹状の可撓部６５となっていて、湾曲・折り曲げが自在である。なお、この可撓部６５の直径は上記太径ホース５６の可撓部６２の直径よりも細く形成されていて、この先端部に上記防虫カバー５８が取付けられる。
上記防虫カバー５８は、基端部が円筒状に形成され、上記細径ホース５７端部が挿入嵌着される第４の接続部６６が設けられる。第４の接続部６６以外の周部は、全体的に先細りテーパー状をなすとともに、軸方向と周方向に所定間隔を存して網目状に形成される網状体６７ａからなる。
【００２５】
そして、この網状体６７の先端部においても水平方向と垂直方向に交差する網状体６７ｂが一体に設けられる。これら網状体６７ａ，６７ｂの目の粗さ（メッシュ）は、通気が可能である反面、小虫の内部への侵入を確実に阻止するよう設定されている。
以上説明した太径ホース５６と細径ホース５７および防虫カバー５８を互いに接続して一体化したものが、上述した換気ホース５５である。そして、第１の接続部６０が上記換気用接続口体５１に挿入嵌着される。
【００２６】
図６（Ａ）は、上記細径ホース５７のみで換気用ホース５５を構成した場合を示していて、第３の接続部６６が換気用接続口体５１に挿入嵌着される。なお、可撓部６５の先端には上記防虫カバー５８が設けられるが、ここでは省略している。
図６（Ｂ）は、図の中央部に示す補助連絡部６３を切断し残した太径ホース５６Ａの補助連結部６３に、図の左側部に示す新たな太径ホース５６の第２の接続部６１を挿入嵌着し、かつ残した太径ホース５６Ａの第２の接続部６１には細径ホース５７を挿入嵌着する状態を示している。
【００２７】
この場合、先に図５（Ａ）で説明した換気ホース５５の全長よりも長い全長の換気ホース５５Ａとなる。さらに必要に応じて、図の左側部に示す新たな太径ホース５６の補助連絡部６３に沿って切断し、ここに新たな太径ホース５６を接続することも可能である。
このようにして、新たな太径ホース５６を継ぎ足すことにより、全長をより長くできる。逆に、補助連絡部６３を切断した太径ケース５６Ａと細径ケース５７とを組み合わせた換気ホースの構成でもよく、この場合の換気ホースの全長は図５（Ａ）の換気ホース５５と図６（Ａ）の換気ホース５７との中間となる。
【００２８】
図７（Ａ）（Ｂ）は、被空調室Ｒの壁面Ｓに据付けられた室内機本体１と、上記換気ユニット１５に接続される換気ホース５５と、上記壁面Ｓを貫通して設けられた貫通孔Ｈとの相互の位置関係を示している。
上述したように、室内機本体１に対する正面視で左側端部に換気ユニット１５が配置されていて、換気用ホース５５は同部位から延出される。これに対して上記貫通孔Ｈは、室内機本体１の据付け位置と壁面Ｓの空きスペースの条件から適宜位置が選択される。
【００２９】
したがって、図７（Ａ）に模式的に示すように、室内機本体１の正面視で右側端部裏に貫通孔Ｈが設けられる場合がある。このような条件では、先に図５（Ａ）で説明した換気ホース５５を用いる。
すなわち、太径ホース５６の第１の接続部６０を換気用接続口体５１に接続し、可撓部６２を９０°折り曲げて細径ホース５７とともに室内機本体１の背面側に沿わせる。細径ホース可撓部６５の端部を折り曲げて貫通孔Ｈに挿入し、屋外へ延出する。この端部には防虫カバー５８が取付けられる。
【００３０】
また、図７（Ｂ）に模式的に示すように、室内機本体１の正面視で左側端部裏に貫通孔Ｈが設けられる場合がある。このような条件では、先に図６（Ａ）で説明した換気ホース５５を用いる。
ここでは太径ホース５６を用いることなく、細径ホース５７のみで換気ホース５５を構成する。細径ホース５７の第３の接続部６４を換気用接続口体５１に接続し、そのまま可撓部６５をほぼ直状に延出し、もしくは適宜曲成して貫通孔Ｈを貫通し屋外へ突出させる。
【００３１】
なお、図７（Ａ）の位置からさらに右側方部位に貫通孔Ｈを設けることもある。この場合は、先に図６（Ｂ）で説明したような補助連結部６３で切断した太径ホース５６Ａに他の太径ホース５６を接続して全長を長くした換気ホース５５Ａを用いればよい。
あるいは、補助連結部６３で切断した太径ホース５６Ａと細径ホース５７との組み合わせからなる換気ホースを用いてもよく、室内機本体１の据付け位置に対して壁面Ｓに設けられる貫通孔Ｈがどのような位置にあっても、先に説明した換気ホースのいずれかを適用することができる。
【００３２】
また、上記貫通孔Ｈは換気ホース５５を挿通するばかりではなく、上記ドレン用接続口体５０に接続されるドレンホースを併せて挿通してもよく、あるいは／および、室内機と室外機とを接続する冷媒配管やコード類を挿通するようにしてもよい。
つぎに、上記換気ユニット１５について詳述する。
図８は換気ユニット１５を断面にして示すとともに、他の構成部品に対する配置構成を説明する図であり、図９は換気ユニットを分解した斜視図である。
【００３３】
上記換気ユニット１５は、その一側面部を形成するユニットベース２０と、他側面部を形成する送風機構３０と、これらユニットベース２０と送風機構３０との間に介設されるダンパ４０及びダンパ駆動機構４５とから構成される。
上記ユニットベース２０は、垂直部２０ａを備えるとともに、この垂直部の下端縁を除く端縁に沿って傾斜部２０ｂが形成され、かつ傾斜部の端縁から水平方向に一体に折曲される水平部２０ｃを備えている。
【００３４】
上記垂直部２０ａの上部は、側面視で略三角状に突出形成されていて、上記熱交換器１０を構成する前側熱交換器部１０Ａと後側熱交換器部１０Ｂの傘状の組合せ形状と合致している。
上記水平部２０ｃの端縁に沿って立上り片部ｋが形成され、ここに熱交換器１０の端板ｔが位置合わせされ、かつ水平部２０ｃ上に熱交換器１０を構成するフィンＦが載る。水平部２０ｃ上に熱交換器１０が載ることで上記傾斜部２０ｂと対向する部位に隙間が形成される。
【００３５】
上記垂直部２０ａの略中央部に円形状の取付用開口部２１が開口され、この開口部の周面に沿うとともに、垂直部２０ａ内面側へ折曲形成されるリブ２２が設けられる。
上記垂直部２０ａの内面側で、上記開口部２１の略半周に沿い所定間隔を存して複数（７本）の全閉用片部２４が設けられる。これら全閉用片部２４のうちの半分の全閉用片部相互間は開口されていて、この開口部を２次用換気口２５と呼ぶ。すなわち、２次用換気口２５は３口設けられる。
【００３６】
上記垂直部２０ａの取付用開口部２２に軸受け具２６が嵌着固定されていて、これらで軸受け部２７が構成される。この軸受け部２７は上記室内送風機１３を構成する横流ファン１３Ｆの他方（左側）の支軸ｈを軸支している。
垂直部２０ａの内面側で、同一の曲率半径上に２本のステー２８ａが突設される。これらステー２８ａは、突出端部のみ直径が細く形成され、それぞれに上記ダンパ駆動機構４５を構成する小ギヤ４６が回転自在に嵌め込まれたうえで適宜な手段で抜け止めがなされている。
【００３７】
上記ステー２８ａの近傍に、これより高さの大きい複数本のステー２８ｂが設けられる。各ステー２８ｂの突出端面から軸方向にねじ孔が設けられ、上記送風機構３０を取付け固定する取付けねじｍが螺挿される。
上記全閉用片部２４近傍に設けられるステー２８ｂのみ、この周部に隣接して受け部２９が一体に設けられている。上記受け部２９には、ダンパ駆動機構４５を構成する駆動用モータ４７が取付け固定され、さらにこの駆動用モータの回転軸に連結する駆動ギヤ４８が回転自在に支持されている。
【００３８】
一方、上記軸受け部２７を構成するリブ２１外周面には、上記ダンパ４０の中心部に設けられる孔部である嵌め合い部４１が回転自在に嵌め込まれている。このダンパ４０は嵌め合い部４１から径方向に断面略皿状に形成され、円形外周縁に沿ってギヤ部４２が設けられる。
上記ダンパ４０のギヤ部４２には、先に説明した２個の小ギヤ４６と駆動用ギヤ４８が噛合するよう組み立てられる。したがって、駆動用モータ４７が駆動ギヤ４８を回転駆動することによりダンパ４０が回転させられ、かつ上記小ギヤ４６はダンパギヤ部４２に対してアイドルギヤ的に機能する。
【００３９】
さらに、ダンパ４０における嵌め合い部４１と外周ギヤ部４２との間で、周方向の一部には複数（３口）の案内用換気口４３が設けられる。これら案内用換気口４３は、ユニットベース垂直部２０ａに設けられる上記２次用換気口２５と全く同一の開口寸法形状をなしている。
上記案内用換気口４３の相互間に形成される桟部ｎは、互いの間隔が上記全閉用片部２４相互間隔と全く同一である。ダンパ４０はリブ２１に嵌め込まれた状態で垂直部２０ａ内面とは間隙を存しているが、ダンパ４０の一側面は垂直部内面に突設される全閉用片部２４端縁に常に摺接状態にある。
【００４０】
したがって、ダンパ４０の案内用換気口４３が垂直部２０ａの２次用換気口２５と対向している状態を除いて、各２次用換気口２５はダンパ４０によって閉塞されている。
上記送風機構３０は、ダンパ４０側の側面に吸込み口３１が形成され、周方向に矩形状の吹出し口体３２が突設されるケーシング３３と、このケーシングの吸込み口３１対向側面に取付けられるファンモータ３４と、このファンモータの回転軸に取付けられるファン３５とから構成される。
【００４１】
上記ファン３５は、回転ともなって軸心方向から空気を吸込んで周方向へ送風する、いわゆるシロッコファンタイプである。したがって、ファン３５はケーシング３３の吸込み口３１から空気を吸込んで吹出し口体３２から送風する作用をなす。
上記送風機構３０は、ダンパ４０とダンパ駆動機構４５を介してユニットベース２０の垂直部２０ａに取付けられているので、送風機構３０と垂直部２０ａとは間隙を存している。
【００４２】
さらに、送風機構３０の周面はユニットベース２０の傾斜部２０ｂおよび水平部２０ｃと間隙を存して取付けられ、特に、ユニットベース２０の三角状突部での間隙が大である。
このようにして構成される空気調和機の室内機であって、リモコンの運転スイッチをオンに切換えると、前面パネル２の一部をなす可動パネル２ａが前部吸込み口４を開放し、冷房運転と暖房運転の指定に応じて吹出し口９に備えられる吹出しルーバー８ａ，８ｂが回動し、かつその姿勢が設定される。
【００４３】
同時に、室内送風機１３が送風作用をなす一方で、室外機の圧縮機が駆動され冷凍サイクル運転が開始される。室内空気は、上部吸込み口６と前部吸込み口４から室内機本体１内に導かれ、エアーフィルタ１１を通過する。
室内空気中に含まれるほとんどの塵埃はエアーフィルタ１１によって捕捉され、塵埃が除去された状態で熱交換器１０を通過して熱交換作用が行われる。この熱交換空気は吹出し通風路１８に沿って導かれ、吹出し口９から吹出しルーバー８ａ，８ｂに案内されて室内へ吹出され、効率のよい空調運転を継続する。
【００４４】
上記電気集塵機１２を機能させることにより、エアーフィルタ１１を通過した細かい塵埃は完全に捕捉され、清浄化した空気が熱交換器１０を介して吹出し口９から室内に吹出される。
冷房運転および除湿運転をなすことにより、上記熱交換器は熱交換作用にともなって室内空気から湿分を凝縮し、ドレン水が付着する。運転の継続にともなって熱交換器部１０Ａ，１０Ｂからドレン水が前ドレンパン１６ａと後ドレンパン１６ｂに滴下する。
【００４５】
後ドレンパン１６ｂに滴下したドレン水は前ドレンパン１６ａに案内され、ここに集溜されたあとドレン用接続口体５０からドレンホースを介して外部に排水される。
つぎに、上記換気ユニット１５の作用について説明する。
換気ユニット１５は、「２次側空気換気モード」と、「１次側空気換気モード」および「換気ダンパ全閉モード」の３種類のモードに切換えられるようになっている。
【００４６】
なお、２次側、１次側の呼称は、ここでは上記熱交換器１０を基準としていて、２次側空気は熱交換器１０を流通したあとの空気を言い、１次側空気は熱交換器１０を流通する以前の空気を言う。
図１０〜図１２は、室内機本体１内で、それぞれのモードに対応した風の状態を説明するための模式的に示す図である。
空調運転終了時において清浄運転モードを選択すると、上記「２次側空気換気モード」が自動的に機能する。
【００４７】
換気ユニット１５のダンパ駆動機構４５が作動してダンパ４０を回動させる。ダンパ４０の案内用換気口４３がユニットベース２０の２次用換気口２５と対向する位置に到達したら、ダンパの回動を停止する。
ついで、換気ユニット１５の送風機構３０が作動し、２次用換気口２５と案内用換気口４３を介して換気ユニット内に空気を吸込み、送風機構を介して吹出し口体３２から吹出す。
【００４８】
上記室内送風機１３は超低速運転が行われる一方で、可動パネル２ａが前部吸込み口４を閉成し、上側の吹出しルーバー８ａは吹出し口９を小さく開放し、下側の吹出しルーバー８ｂは閉成される。
上記清浄運転モードを選択して、室内機本体１内の乾燥と殺菌運転を行わせる。すなわち、上部吸込み口６から微量の室内空気が室内機本体１内に吸込まれ、熱交換器１０を通過し他の構成部品に接触する。したがって、熱交換器１０のフィン面間および他の構成部品面に存在していた湿分は蒸発する。
【００４９】
図１０に模式的に示すように、熱交換器１０を通過したあとの蒸発湿分を含んだ空気は換気ユニット１５に吸込まれ、かつ吹出し口体３２から吹出されて換気ホースを介して屋外へ排出される。
室内機本体１から蒸発湿分を含んだ空気を直接的に屋外へ排出することにより、熱交換器１０は勿論のこと室内機本体１内は早急に完全乾燥してカビ等の発生を防止する。
【００５０】
さらに説明すると、図８に一点鎖線矢印で示すように、２次側空気はユニットベース２０の傾斜部２０ｂ外面と熱交換器１０との隙間を介して、垂直部２０ａ外面と横流ファン１３Ｆ端面との間に導かれる。
２次側空気は互いに対向する２次用換気口２５と案内用換気口４３を介してケーシング３３の吸込み口３１からこの内部に吸込まれ、吹出し口体３２から吹出され上記換気ホースに導かれて排出される。
【００５１】
上記運転を所定時間継続したあと、電気集塵機１２に通電される。この電気集塵機１２で発生したオゾンが室内機本体１内に充満し、上部吸込み口６から吸込まれる微量の室内空気によって運ばれる。
オゾンを含んだ室内空気は熱交換器１０を通過し、他の構成部品に接触して殺菌し、臭いのもとを断つ。殺菌したあとの空気は換気ユニット１５に導かれ、さらに吹出し口体３２から換気ホース５５を介して屋外へ排出される。
【００５２】
所定時間経過後、電気集塵機１２の機能が停止され、室内送風機１３の運転をある程度継続すると、換気ユニット１５の機能も停止して、全ての清浄運転モードが終了する。
なお、清浄運転モードの運転中は、上側の吹出しルーバー８ａのみをわずかに開放させ、かつ室内送風機１３を超低速運転しているので、室内機本体１内を通過したあとの一部の空気が上記吹出しルーバー８ａから吹出される。
【００５３】
吹出された風は前面パネル２に沿って導かれ、再び上部吸込み口６に吸込まれる。したがって、室内機本体１における吹出し口９と上部吸込み口６との間で、いわゆるショートサーキット風が形成され、可動パネル２ａを含めた前面パネル２の清浄・殺菌化に役立つ。
つぎに、リモコンに備えられた換気モードを選択すると、「１次側空気換気モード」が自動的に行われる。上記換気モードは空調運転と並行して選択してもよく、あるいは空調運転の停止時に選択してもよい。
【００５４】
室内送風機１３は換気モードの選択に拘わらず空調運転の選択モードに応じた回転を行う。もしくは、換気運転のみが行われる場合には停止する。電気集塵機１２においても空調運転の選択モードに応じてＯＮとなり、かつ清浄運転モードの選択時にはＯＮ、換気モードの場合にＯＦＦする。
可動パネル２ａおよび吹出しルーバー８ａ，８ｂにおいても空調運転時は運転モードに応じた開閉をなし、空調運転の停止時および換気運転のみでは閉成する。なお、上部吸込み口６は常時開放しているため、換気運転のみの場合でも室内空気が室内機本体１内に吸込まれる。
【００５５】
ダンパ駆動機構４５はダンパ４０を回動駆動し、ダンパの案内用換気口４３がユニットベース２０の２次用換気口２５とは対向しない位置に変位したら、ダンパ駆動機構４５は作動を停止する。
ダンパ４０面がユニットベース２０の全閉用片部２４端縁に接触し、２次用換気口２５がダンパによって閉成される。その一方で、送風機構３０周面とダンパ４０側面に対するユニットベース２０の各内面とは間隙が形成され、案内用換気口４３はこれらの隙間と連通する。
【００５６】
図１１は、空調運転を停止したうえで、換気モードを選択した場合の空気の流れを模式的に示している。
換気ユニット１５の送風機構３０が作動して、常時開放状態にある上部吸込み口６から室内空気を室内機本体１内に吸込む。室内空気はエアーフィルタ１１を通過して塵埃を捕捉されたあと熱交換器１０を通過する前の１次側空気として換気ユニット１５に直接導かれ、吹出し口体３２から屋外へ排出される。
【００５７】
なお説明すれば、室内機本体１内に吸込まれた室内空気は、図８に実線矢印方向に示すように導かれる。
すなわち、空調運転を停止しているので室内送風機１３も停止状態にある。その一方で、換気ユニット１５の送風機構３０が作動しているので、１次側空気はエアーフィルタ１１と熱交換器１０の前面と間から換気ユニット１５が配置される左側端部に集められる。
【００５８】
そして、熱交換器１０側面と室内機本体１の側面板１ａとの間から換気ユニット１５に導かれる。ユニットベース２０と送風機構３０のケーシング３３との間と、ユニットベースとダンパ４０との間に隙間が形成され、かつ案内用換気口４３が開放している。
結局、室内の汚れた空気が一旦、室内機本体１内に吸込まれ、さらに換気ユニット１５の上記隙間から案内用換気口４３に導かれ、換気ユニット１５と換気ホース５５を介して屋外へ排出される。汚れた空気が熱交換器１０を通過しないので、熱交換器の汚れを最小限に抑制した換気作用をなす。
【００５９】
以上は空調運転を停止した状態での換気運転であるが、空調運転を継続したうえで換気運転を行っても何らの支障もない。この場合にも、熱交換器１０を通過しない１次側空気を集めて屋外へ換気するので、空調運転によるエネルギーロスを必要最小限に抑えた省エネ運転が可能となる。
据付け環境条件もしくは使用環境条件など、必要に応じて換気ユニット１５を完全閉成状態にして換気モードを機能させたくない場合は、上記した「換気ダンパ全閉モード」を選択して塵埃や騒音の侵入を阻止する。
【００６０】
このモードを選択すると、ダンパ駆動機構４５はダンパ４０を回動し、この案内用換気口４３相互間の桟部ｎがユニットベース垂直部２０ａの全閉用片部２４端縁に対向した位置でダンパの回動を停止する。
全ての案内用換気口４３はユニットベース２０の全閉用片部２４とリブ２１によって周囲を囲まれ、完全閉成状態になる。また、ユニットベース２０の２次用換気口２５がダンパ４０面によって完全閉成されることには変わりがない。
【００６１】
したがって、図１２に模式的に示すように、換気ユニット１５はダンパ４０によって完全閉成され、風の流通路が遮断される。換気ホース５１を介しての屋外の塵埃、騒音等が室内機本体１および室内へ侵入することを確実に阻止でき、快適性の向上を図れる。
先に説明した本体内清浄運転モードの終了後は勿論のこと、通常の空調運転の終了後は、上記換気ユニット１５は必然的に上述した状態になるよう設定されている。また、空調運転の際にこのモードを選択すれば、通常の空調運転と同等の状態となる。
【００６２】
このように、後板３を構成する前ドレンパン１６ａに対してドレン用接続口体５０と換気用接続口体５１を前後方向に一列に並んで取付けたから、後板３に対する成形性が向上するとともに、室内機本体１の壁面Ｓに対する据付け性が向上する。
上記ドレン用接続口体５０を下部とし、上記換気用接続口体５１を上部としたから、ドレンホース７０と換気用ホース５５の位置が予め設定されることとなり、特にドレントラップの発生を確実に阻止できる。
【００６３】
換気用接続口体５１をドレン用接続口体５０よりも後方に位置したから、背面側から換気用接続口体５１に対する換気ホース５５の接続作業が容易にできる。いずれにしても、いわゆる配管処理作業の向上を得られる。
さらに、ドレン用接続口体５０と換気用接続口体５１を互いに同一角度をもって前ドレンパン１６ａに設けたから、それぞれの接続口体５０，５１に接続されるドレンホース７０と換気ホース５５が延出部位で互いに絡まずにすみ、ホース相互の干渉を予防できる。
【００６４】
ドレン用接続口体５０と換気用接続口体５１を前ドレンパン１６ａに一体に設けたから、各接続口体にフランジ部を取付け、このフランジ部をドレンパンにねじ止めする構造と相違して、簡素な構成であり取付け手間が不要である。
上記換気ホース５５は、太径ホース５６を換気用接続口体５１に接続し、換気ホース５５の中途部で細径ホース５７に変るようにしたから、換気ホース５５における通風抵抗を極力抑制できる。
【００６５】
そして、被空調室Ｒの壁面Ｓに設けられる貫通孔Ｈを細径ホース５７が貫通して屋外へ延出するようにしたから、上記貫通孔Ｈの直径を極力小さくでき、据付け性が向上する。
【００６６】
換気ホース５５を、太径ホース５６と細径ホース５７との別部品で構成し、互いに接続して用いるようにしたから、部品の製造性の向上を得られる。
室内機本体１の据付け位置と壁面Ｓに設けられる貫通孔Ｈの位置によっては、換気ホース５５として太径ホース５６を用いることなく細径ホース５７のみで代用でき、もしくは太径ホースを継ぎ足して全長を長くすることもでき、あらゆる状況に適応する据付け汎用性の拡大化を得られる。
【００６７】
さらに、細径ホース５７を換気用接続口体５１に接続するのにあたって、太径ホース５６の一部を介して上記接続口体５１に接続してもよい。すなわち、細径ホース５７の直径を極端に太くすることは製造上困難であるが、太径ホース５６の一部を使用することで接続口体５１に容易に接続可能となる。
上記防虫カバー５８は、全周面と端面に網状体６７ａ，６７ｂを用いたので、たとえば換気ホース５５の吹出し方向とは逆方向に風が吹き込もうとしても、周面の網状体６７ａから風が円滑に逃げて換気ホース５５内部まで風が侵入することがない。
そして、防虫カバー５８の全周面が開口することとなり、通気口総面積が拡大して通風抵抗の低減が顕著となる。換気ホース５５に対する防虫カバー５８の取付け方向に制約がなくなって、組み立て作業性の向上を得られる。
【００６８】
【発明の効果】
以上説明したように本発明によれば、本来の空気調和機能を備えることの他に、被空調室内および室内機本体内の換気機能を付加し、快適性の向上と室内機本体内の清潔度を高めるとともに、本体構成の複雑化を避け、壁面と接続ホースに対する施工性の向上を図れるなどの効果を奏する。
【図面の簡単な説明】
【図１】本発明の一実施の形態を示す、空気調和機の室内機の外観斜視図。
【図２】同実施の形態を示す、室内機の断面図。
【図３】同実施の形態を示す、室内機の前面パネルを開放した状態の斜視図。
【図４】同実施の形態を示す、室内機の一部斜視図。
【図５】同実施の形態を示す、換気ホースの分解した側面図と、防虫カバーの正面図および断面図。
【図６】同実施の形態を示す、換気ホースの互いに異なる構成を説明する図。
【図７】同実施の形態を示す、室内機本体の据付け位置と壁面に設けられる貫通孔の位置から決定される換気ホースの接続状態を説明する図。
【図８】同実施の形態を示す、換気ユニットとその周辺部分の断面図。
【図９】同実施の形態を示す、換気ユニット分解した斜視図。
【図１０】同実施の形態を示す、２次側空気換気モードを選択した場合の換気ユニット内部状態を説明する図。
【図１１】同実施の形態を示す、１次側空気換気モードを選択した場合の換気ユニット内部状態を説明する図。
【図１２】同実施の形態を示す、換気ダンパ全閉モードを選択した場合の換気ユニット内部状態を説明する図。
【符号の説明】
４…前部吸込み口、
６…上部吸込み口、
９…吹出し口、
１…室内機本体、
１０…熱交換器、
１６ａ…前ドレンパン、
１６ｂ…後ドレンパン、
５５…換気ホース、
１５…換気ユニット、
７０…ドレンホース、
５０…ドレン用接続口体、
５１…換気用接続口体。
【図１】
2004069109.tif 000003
【図２】
2004069109.tif 000004
【図３】
2004069109.tif 000005
【図４】
2004069109.tif 000006
【図５】
2004069109.tif 000007
【図６】
2004069109.tif 000008
【図７】
2004069109.tif 000009
【図８】
2004069109.tif 000010
【図９】
2004069109.tif 000011
【図１０】
2004069109.tif 000012
【図１１】
2004069109.tif 000013
【図１２】
2004069109.tif 000014